(57)【要約】【課題】スクリーンの変形によるスクリーンと表示機構との貼りつきを防止すること。【解決手段】表示装置は、表示機構と、表示機構の少なくとも一部を覆うスクリーンと、表示機構とスクリーンとの間に配されるスペーサと、を備える。表示装置は、表示機構、スクリーン及びスペーサによって形成される空間が外部と導通するための導通孔を有する。【選択図】図４
2012088389.tif 000002
【特許請求の範囲】
【請求項１】
表示機構と、
前記表示機構の少なくとも一部を覆うスクリーンと、
前記表示機構と前記スクリーンとの間に配されるスペーサと、を備え、
前記表示機構、前記スクリーン及び前記スペーサによって形成される空間が外部と導通するための導通孔を有することを特徴とする表示装置。
【請求項２】
前記スペーサは、前記導通孔の少なくとも一部を形成する第１流通路を有することを特徴とする請求項１に記載の表示装置。
【請求項３】
前記スペーサの形状は枠状であり、
前記第１流通路は、前記スペーサの内周と外周とを結ぶ溝であることを特徴とする請求項２に記載の表示装置。
【請求項４】
前記スペーサは、複数の部品が枠状に形成されたものであり、
前記第１流通路は、前記部品間の領域であることを特徴とする請求項２に記載の表示装置。
【請求項５】
前記スクリーンは、前記導通孔の少なくとも一部を形成する第２流通路を有することを特徴とする請求項１〜４のいずれか一項に記載の表示装置。
【請求項６】
前記第２流通路は、前記スクリーンの外縁から内方に向かう溝であることを特徴とする請求項５に記載の表示装置。
【請求項７】
前記スペーサと前記スクリーンとを接合する接合材をさらに備え、
前記接合材は、前記導通孔の少なくとも一部を形成する第３流通路を有することを特徴とする請求項１〜６のいずれか一項に記載の表示装置。
【請求項８】
前記接合材は、複数の部品が枠状に形成されたものであり、
前記第３流通路は、前記部品間の領域であることを特徴とする請求項７に記載の表示装置。
【発明の詳細な説明】
【技術分野】
【０００１】
本発明は、液晶ディスプレイ（ＬＣＤ；Liquid Crystal Display）等の表示装置に関する。
【背景技術】
【０００２】
携帯端末機等の表示装置として使用されるＬＣＤ装置は、ＬＣＤと、ＬＣＤを外部から保護するスクリーンと、ＬＣＤとスクリーン間に配置されるスペーサと、を備える（例えば、特許文献１及び２参照）。
【０００３】
例えば、特許文献１に記載の表示装置は、基板および基板によって保持された表示媒体層を有する表示パネルと、表示パネルの周縁部に設けられたフレームと、表示パネルのパネル面に対向するように設けられた防塵ガラスと、表示パネルと防塵ガラスとの間に挟まれ、表示パネルと防塵ガラスとの間隔を所定の間隔に保つためのスペーサとを備える。
【０００４】
また、特許文献２に記載の電気機器の防塵構造は、筺体の開口部を覆うスクリーンと、開口部の内側に実装され、スクリーンに対向するデバイス面を有する実装デバイスとを備え、デバイス面の端部付近に弾性力を有する樹脂（スペーサ）が塗布され、樹脂はスクリーンとの間で押圧されることにより、スクリーンとデバイス面の間の気密をとる。
【先行技術文献】
【特許文献】
【０００５】
【特許文献１】特開２００３−５８０６５号公報
【特許文献２】特開２００６−４１１８５号公報
【発明の概要】
【発明が解決しようとする課題】
【０００６】
以下の分析は、本発明の観点から与えられる。
【０００７】
図２７に、本発明が解決しようとする課題を説明するための、背景技術に係る表示装置の概略断面図を示す。表示装置９００において、ＬＣＤユニット９０２上に、スペーサ９０４を介してスクリーン９０５が接合材９０６によって貼り付けられている。
【０００８】
このような表示装置９００に対して、スクリーン９０５上から押圧力が加わると（図２７（ａ））、スクリーン９０５は図２７（ｂ）のように撓む。このとき、ＬＣＤユニット９０２、スペーサ９０４及びスクリーン９０５によって形成される空間Ａ内の空気が外に押し出される。次に、スクリーン９０５への押圧力がなくなると、スクリーン９０５は元の形状に戻ろうとする。しかし、スペーサ９０４とＬＣＤユニット９０２間の密着性及びスペーサ９０４とスクリーン９０５間の密着性が高いと、スペーサ９０４が気密性を高めるパッキンとして機能することになる。すなわち、空間Ａは密閉性の高い空間となり、空間Ａの外部から空気を取り込むことができない。したがって、空間Ａには負圧が生じたままになってしまい、スクリーン９０５は元の形状に復元せず、ＬＣＤユニット９０２に貼り付いたような状態のままとなってしまうという問題点がある。
【課題を解決するための手段】
【０００９】
本発明の第１視点によれば、表示装置は、表示機構と、表示機構の少なくとも一部を覆うスクリーンと、表示機構とスクリーンとの間に配されるスペーサと、を備える。表示装置は、表示機構、スクリーン及びスペーサによって形成される空間が外部と導通するための導通孔を有する。
【発明の効果】
【００１０】
本発明は、以下の効果のうち少なくとも１つを有する。
【００１１】
本発明においては、表示機構、スクリーン及びスペーサによって形成される空間と当該空間の外部とが連通されている。これにより、当該空間内の内圧を外圧と等しくすると共に、当該空間が密閉されることを防止することができる。したがって、スクリーンが変形後に復元する際に、外部から当該空間に空気を取り込むことができ、スクリーンの変形を解除することができる。
【図面の簡単な説明】
【００１２】
【図１】本発明の第１実施形態に係る表示装置の概略斜視図。
【図２】図１に示す表示装置の概略分解斜視図。
【図３】図１のIII−III線における表示装置の概略断面図。
【図４】図３に示す断面における導通孔部分の概略部分断面図。
【図５】図１のＶ−Ｖ線における表示装置の概略断面図。
【図６】図５に示す断面における導通孔部分の概略部分断面図。
【図７】図１のVII−VII線における表示装置の導通孔部分の概略部分断面図。
【図８】第１実施形態におけるスペーサの概略平面図。
【図９】第１実施形態に係る表示装置の動作を説明するための概略断面図。
【図１０】スクリーンとスペーサ間に接合材を有しない形態の導通孔部分の概略部分断面図。
【図１１】複数の部品から形成されるスペーサの一例を示す概略断面図。
【図１２】第２実施形態に係る表示装置における導通孔部分の概略部分断面図。
【図１３】第３実施形態に係る表示装置における導通孔部分の概略部分断面図。
【図１４】第３実施形態におけるスペーサの概略部分断面図。
【図１５】第４実施形態に係る表示装置における導通孔部分の概略部分断面図。
【図１６】第４実施形態に係る表示装置における導通孔部分の概略部分断面図。
【図１７】図１５及び図１６に示すスペーサの概略平面図。
【図１８】第５実施形態に係る表示装置における導通孔部分の概略部分断面図。
【図１９】第５実施形態に係る表示装置における導通孔部分の概略部分断面図。
【図２０】図１８及び図１９に示すスクリーンの概略平面図。
【図２１】第６実施形態に係る表示装置における導通孔部分の概略部分断面図。
【図２２】第６実施形態に係る表示装置における導通孔部分の概略部分断面図。
【図２３】図２１及び図２２に示す接合材の概略平面図。
【図２４】第３実施形態に係る表示装置における導通孔部分の概略部分断面図。
【図２５】第３実施形態に係る表示装置における導通孔部分の概略部分断面図。
【図２６】図２４とは異なる形態の表示装置における導通孔部分の概略部分断面図を示す。
【図２７】本発明が解決しようとする課題を説明するための、背景技術に係る表示装置の概略断面図。
【発明を実施するための形態】
【００１３】
上記第１視点の好ましい形態を以下に記載する。
【００１４】
上記第１視点の好ましい形態によれば、スペーサは、導通孔の少なくとも一部を形成する第１流通路を有する。
【００１５】
上記第１視点の好ましい形態によれば、スペーサの形状は枠状である。第１流通路は、スペーサの内周と外周とを結ぶ溝である。
【００１６】
上記第１視点の好ましい形態によれば、スペーサは、複数の部品が枠状に形成されたものである。第１流通路は、部品間の領域である。
【００１７】
上記第１視点の好ましい形態によれば、スクリーンは、導通孔の少なくとも一部を形成する第２流通路を有する。
【００１８】
上記第１視点の好ましい形態によれば、第２流通路は、スクリーンの外縁から内方に向かう溝である。
【００１９】
上記第１視点の好ましい形態によれば、表示装置は、スペーサとスクリーンとを接合する接合材をさらに備える。接合材は、導通孔の少なくとも一部を形成する第３流通路を有する。
【００２０】
上記第１視点の好ましい形態によれば、接合材は、複数の部品が枠状に形成されたものである。第３流通路は、部品間の領域である。
【００２１】
本発明の第１実施形態に係る表示装置について説明する。図１に、本発明の第１実施形態に係る表示装置の概略斜視図を示す。図２に、図１に示す表示装置の概略分解斜視図を示す。図３に、図１のIII−III線における表示装置の概略断面図を示す。図４に、図３に示す断面における導通孔部分の概略部分断面図を示す。図５に、図１のＶ−Ｖ線における表示装置の概略断面図を示す。図６に、図５に示す断面における導通孔部分の概略部分断面図を示す。図７に、図１のVII−VII線における表示装置の導通孔部分の概略部分断面図を示す。図面においては、表示装置の一例としてＬＣＤ装置を示す。
【００２２】
表示装置１００は、ケース１０１と、表示機構として、ＬＣＤ１０３を有し、ケース１０１に収容されるＬＣＤユニット１０２と、ＬＣＤ１０３を保護するスクリーン１０５と、ＬＣＤ１０３とスクリーン１０５との間に空間を確保するためのスペーサ１０４と、を備える。ケース１０１は、内部に突出するフランジ１０１ａを有する。スクリーン１０５は、接合材１０６によってフランジ１０１ａに貼り付けられている。スペーサは、ＬＣＤユニット１０２の形状に沿った枠状（環状）形状を有する。スペーサ１０４は、接合材１０６によってスクリーン１０５に貼り付けられ、スクリーン１０５とＬＣＤユニット１０２との間に配されている。接合材１０６としては、例えば、両面テープを使用することができる。
【００２３】
ＬＣＤユニット１０２上面には、スクリーン１０５とスペーサ１０４によって当該上面を被覆されることによって空間Ａ（図３及び図５における楕円印）が形成されている。空間Ａは、密閉空間とならないようにする。すなわち、空間Ａとその外部とで気体が流通できるようにする。
【００２４】
図８に、スペーサの概略平面図を示す。第１実施形態においては、スペーサ１０４は、空間Ａが外部と連通できるように、少なくとも１箇所に溝状の第１流通路１０４ａを形成する。図８に示す形態においては、各第１流通路１０４ａは、スペーサの内周と外周とを結ぶように延在している。
【００２５】
図４は、第１流通路１０４ａがある部分の表示装置の概略断面図であり、図６は、第１流通路１０４ａが無い部分の表示装置の概略断面図である。図７は、図２〜図４に示す形態の断面図である。図２〜図４及び図７に示す形態においては、第１流通路１０４ａは、ＬＣＤユニット１０２側に面しており、スペーサ１０４とＬＣＤユニット１０２を重ね合わせることによって第１流通路１０４ａが空間Ａと外部とを導通させるための導通孔Ｂを形成する。
【００２６】
スクリーン１０５は、外部からの押圧により変形したとしても元の形状に復元できる弾性を有すると好ましい。
【００２７】
スペーサ１０４の形状、第１流通路１０４ａを形成する箇所及び第１流通路１０４ａの個数は、図示の形態に限定されず、適宜好適な形態を選択することができる。また、図２に示す形態においては、溝状の流通路１０４ａはすべて同じ方向を向いているが、すべての流通路１０４ａが同じ方向を向いている必要は無く、例えば、１つがＬＣＤユニット１０２側に面し、１つがスクリーン１０５に面してもよい。
【００２８】
スペーサ１０４は、ＬＣＤ１０３とスクリーン１０５との間に空間を保持できるような材料であると好ましい。スペーサ１０４は、１つの部品又は材料から形成する必要は無く、複数の部品又は材料から形成してもよい。図９に、複数の部品から形成されるスペーサの一例を示す概略断面図を示す。図９に示すスペーサ１０４においては、枠状の第１部材１０４ｂと、枠を部分的に形成する第２部材１０４ｃとを貼り合わせることによって溝状の第１流通路１０４ａを形成している。
【００２９】
図３〜図７に示す形態においては、スクリーン１０５とスペーサ１０４とを接合材で接合しているが、表示装置１００は、スクリーン１０５をケース１０１に接合できるのであれば、接合材はスクリーン１０５とスペーサ１０４間に介在していなくてもよい。図１０に、スクリーンとスペーサ間に接合材を有しない形態の導通孔部分の概略部分断面図を示す。その場合には、図１０に示すように、スクリーン１０５とスペーサ１０４とが直接接触すると好ましい。
【００３０】
第１実施形態に係る表示装置の動作を説明する。図１１に、第１実施形態に係る表示装置の動作を説明するための概略断面図を示す。外部からスクリーン１０５に押圧力が加えられると、図１１（ａ）に示すように、スクリーン１０５が撓み、空間Ａ中の気体が外部に押し出される。しかしながら、本発明の表示装置によれば、図１１（ａ）に示すように、スクリーン１０５の形状が復元する際に（白矢印）、導通孔Ｂから気体が空間Ａに流入することができ（黒矢印）、スクリーン１０５は元の形状に戻ることができる（図１１（ｂ））。
【００３１】
次に、本発明の第２実施形態に係る表示装置について説明する。図１２に、第２実施形態に係る表示装置における導通孔部分の概略部分断面図を示す。図７に示す形態においては、第１流通路１０４ａはＬＣＤユニット１０２に対向していたが、第１流通路１０４ａの面する方向は、ＬＣＤユニット１０２側に限定されず、第１流通路１０４ａは、スクリーン１０５又は接合材１０６と対向してもよい。この場合、図１２に示すように、導通孔Ｂは、スペーサ１０４とスクリーン１０５又は接合材１０６とを重ね合わせることによって形成される。それ以外の形態は、第１実施形態と同様である。
【００３２】
次に、本発明の第３実施形態に係る表示装置について説明する。図１３に、第３実施形態に係る表示装置における導通孔部分の概略部分断面図を示す。図１３は、図４に対応する部分の概略断面図である。図１４に、第３実施形態におけるスペーサの第１流通路部分の概略部分断面図を示す。第１及び第２実施形態においては、第１流通路は溝状に形成されていたが、図９及び図１１に示す第３実施形態においては、スペーサ１１４は、スペーサ１１４の枠の内壁（内周面）と外壁（外周面）とを貫通する貫通孔を第１流通路１１４ａとして有する。この場合、第１流通路１１４ａ自体が導通孔Ｂとなる。それ以外の形態は、第１実施形態と同様である。
【００３３】
次に、本発明の第４実施形態に係る表示装置について説明する。図１５及び図１６に、第４実施形態に係る表示装置における導通孔部分の概略部分断面図を示す。図１５は、図４と対応する部分の概略断面図であり、図１６は、図７と対応する部分の概略断面図である。図１７に、図１５及び図１６に示すスペーサの概略平面図を示す。スペーサ１２４は、完全な枠状（環状）に形成されておらず、切欠部分となる第１流通路１２４ａを有する。すなわち、スペーサ１２４は、複数の部品１２４ｂ〜１２４ｅを間隙１２４ａを介して配置することによって１つの部材として形成されている。ＬＣＤユニット１０２、スペーサ１２４、及びスクリーン１０５（接合材１０６）を重ね合わせることによって、間隙１２４ａが、空間Ａとその外部とを導通させるための導通孔Ｂとなる。それ以外の形態は、第１実施形態と同様である。
【００３４】
次に、本発明の第５実施形態に係る表示装置について説明する。図１８及び図１９に、第５実施形態に係る表示装置における導通孔部分の概略部分断面図を示す。図１８及び図１９において、第１実施形態と同じ要素には同じ符号を付してある。図１８は、図４と対応する断面図であり、図１９は、図７と対応する断面図である。図２０に、図１８及び図１９に示すスクリーンの概略平面図を示す。第１実施形態においては、スペーサに第１流通路が形成されていたが、第２実施形態に係る表示装置おいては、スクリーン２０５に溝状の第２流通路２０５ａが形成されている。
【００３５】
第２流通路２０５ａは、空間Ａとその外部とを導通するように形成されている。すなわち、第２流通路２０５ａは、スクリーン２０５の一方の面の外縁から内側に向かって少なくともスペーサ２０４及び接合材１０６上を通る溝又は凹部として形成されている。この場合、図１９に示すように、スクリーン２０５とスペーサ２０４又は接合材１０６とが重ね合わされることによって、空間Ａとその外部とを導通させるための導通孔Ｂが形成される。
【００３６】
第２流通路２０５ａを形成する箇所は特に限定されない。また、第２流通路２０５ａは、１つ以上形成することができる。
【００３７】
第５実施形態の上記以外の形態は、第１実施形態と同様である。
【００３８】
本発明の第６実施形態に係る表示装置について説明する。図２１及び図２２に、第６実施形態に係る表示装置における導通孔部分の概略部分断面図を示す。図２１及び図２２において、第１及び第２実施形態と同じ要素には同じ符号を付してある。図２１は、図４と対応する断面図であり、図２２は、図７と対応する断面図である。図２３に、図２１及び図２２に示す接合材の概略平面図を示す。第６実施形態においては、接合材３０６の層の少なくとも一部が導通孔Ｂとなる。
【００３９】
接合材３０６は、完全な枠状（環状）に形成されておらず、部分的に接合材が存在しない領域を有し、当該領域が第３流通路３０６ａとなる。すなわち、接合材３０６は、複数の部品３０６ｂ〜３０６ｅを間隙３０６ａを介して配置することによって形成されている。スペーサ２０４、接合材３０６及びスクリーン１０５を重ね合わせることによって、間隙３０６ａが、空間Ａとその外部とを導通させるための導通孔Ｂとなる。
【００４０】
第３流通路３０６ａを形成する箇所は特に限定されない。また、第３流通路３０６ａは、１つ以上形成することができる。
【００４１】
第６実施形態の上記以外の形態は、第１実施形態と同様である。
【００４２】
本発明の第７実施形態に係る表示装置について説明する。図２４及び図２５に、第３実施形態に係る表示装置における導通孔部分の概略部分断面図を示す。図２４及び図２５において、第１及び第２実施形態と同じ要素には同じ符号を付してある。第１〜第６実施形態においては、流通路は１つの要素のみに形成されていたが、第７実施形態においては、スペーサ１０４、接合材４０６、スクリーン４０５のうちの少なくとも２つの要素に流通路が形成されている。好ましくは、スペーサ１０４、接合材４０６、及びスクリーン４０５が重ね合わされることにより、スペーサ１０４、接合材４０６、及びスクリーン４０５の複数の流通路１０４ａ，４０６ａ，４０５ａが一体化して１つの導通孔Ｂが形成される。
【００４３】
スペーサ１０４は、溝状の第１流通路１０４ａを有する。接合材４０６は、部分的に接合材４０６が形成されていない領域である第３流通路４０６ａを有する。スクリーン４０５は、外縁付近に凹部状の第２流通路４０５ａを有する。第１流通路１０４ａ、第３流通路４０６ａ及び第２流通路４０５ａは、スペーサ１０４、接合材４０６及びスクリーン４０５を重ね合わせたときに重ね合わさり、空間Ａとその外部とを導通させるための導通孔Ｂが形成される。
【００４４】
図２６に、図２４とは異なる形態の表示装置における導通孔部分の概略部分断面図を示す。図２４に示す形態においては、接合材４０６の第３流通路４０６ａ及びスクリーン４０５の第２流通路４０５ａは、それぞれ外縁にまで達しないように形成されていたが、第５実施形態及び第６実施形態のように、外縁にまで達するような流通路２０５ａ，３０６ａを形成してもよい。
【００４５】
第７実施形態において、スペーサは、第３実施形態又は第４実施形態におけるスペーサであってもよい。また、スペーサは、第１流通路を有さないものであってもよい。
【００４６】
第７実施形態の上記以外の形態は、第１実施形態と同様である。
【００４７】
本発明の表示装置は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００４８】
本発明のさらなる課題、目的及び展開形態は、請求の範囲を含む本発明の全開示事項からも明らかにされる。
【産業上の利用可能性】
【００４９】
本発明の表示装置は、例えば、携帯電話、ポータブルオーディオ、携帯型ゲーム機、タッチセンサ式ポータブルパソコン等の携帯端末機に適用することができる。
【符号の説明】
【００５０】
１００          表示装置
１０１          ケース
１０１ａ          フランジ
１０２          ＬＣＤユニット
１０３          ＬＣＤ
１０４，１１４，１２４，２０４          スペーサ
１０４ａ，１１４ａ，１２４ａ          第１流通路
１０４ｂ，１０４ｃ          第１〜第２部材
１２４ｂ〜１２４ｅ          スペーサの一部
１０５，２０５，４０５          スクリーン
１０６，３０６，４０６          接合材
２０５ａ，４０５ａ          第２流通路
３０６ａ，４０６ａ          第３流通路
３０６ｂ〜３０６ｅ          接合材の一部
９００          表示装置
９０１          ケース
９０１ａ          フランジ
９０２          ＬＣＤユニット
９０３          ＬＣＤ
９０４          スペーサ
９０５          スクリーン
９０６          接合材
Ａ          空間
Ｂ          導通孔
【図１】
2012088389.tif 000003
【図２】
2012088389.tif 000004
【図３】
2012088389.tif 000005
【図４】
2012088389.tif 000006
【図５】
2012088389.tif 000007
【図６】
2012088389.tif 000008
【図７】
2012088389.tif 000009
【図８】
2012088389.tif 000010
【図９】
2012088389.tif 000011
【図１０】
2012088389.tif 000012
【図１１】
2012088389.tif 000013
【図１２】
2012088389.tif 000014
【図１３】
2012088389.tif 000015
【図１４】
2012088389.tif 000016
【図１５】
2012088389.tif 000017
【図１６】
2012088389.tif 000018
【図１７】
2012088389.tif 000019
【図１８】
2012088389.tif 000020
【図１９】
2012088389.tif 000021
【図２０】
2012088389.tif 000022
【図２１】
2012088389.tif 000023
【図２２】
2012088389.tif 000024
【図２３】
2012088389.tif 000025
【図２４】
2012088389.tif 000026
【図２５】
2012088389.tif 000027
【図２６】
2012088389.tif 000028
【図２７】
2012088389.tif 000029